(57)【要約】【課題】フォール時にもフィッシュイーターにアピールするルアー２の提供。【解決手段】本発明に係るルアー２は、その内部に空洞であるラトルルームを有するボディ４と、このラトルルーム内に位置する球状のラトルボール２８とを備えている。上記ラトルルームはその底面にラトルボール２８の移動を阻害する一又は複数の移動阻害部を有している。このルアー２は、その沈降中の傾きにより、上記ラトルボール２８が上記移動阻害部により移動できない場合と、この移動阻害部を越えて移動できる場合とを有する。好ましくは、上記ラトルルームはその底面に突起３４を備えており、上記移動阻害部の少なくとも一つはこの突起３４である。【選択図】図２
2015208243.tif 000002
【特許請求の範囲】
【請求項１】
その内部に空洞であるラトルルームを有するボディと、このラトルルーム内に位置する球状のラトルボールとを備えており、
上記ラトルルームがその底面にラトルボールの移動を阻害する一又は複数の移動阻害部を有しており、
このルアーの沈降中の傾きにより、上記ラトルボールが上記移動阻害部により移動できない場合と、この移動阻害部を越えて移動できる場合とを有するルアー。
【請求項２】
上記ラトルルームがその底面に突起を備えており、
上記移動阻害部の少なくとも一つがこの突起である請求項１に記載のルアー。
【請求項３】
上記ラトルボールの直径Ｄに対する上記突起の高さＨの比（Ｈ／Ｄ）が０．２５以上０．５０以下である請求項２に記載のルアー。
【請求項４】
上記ラトルルーム内に、上記突起が複数存在する請求項２又３に記載のルアー。
【請求項５】
上記ラトルルームの底面が傾斜角度の異なる複数の部分面より構成されており、
上記移動阻害部の少なくとも一つが上記部分面同士の接点部分である請求項１から４に記載のルアー。
【請求項６】
上記ラトルルームが複数存在する請求項１から５のいずれかに記載のルアー。
【発明の詳細な説明】
【技術分野】
【０００１】
本発明は、釣りに用いられるルアーに関する。詳細には、本発明は、ラトルを有するルアーに関する。
【背景技術】
【０００２】
オオクチバス、ブリ及びその幼魚、スズキ等の大型の魚は、小魚を補食する。これら大型の魚は、フィッシュイーターと称されている。フィッシュイーターを捕獲する手段として、ルアーフィッシングが普及している。ルアーフィッシングでは、小魚等のベイトに疑似されたルアーが用いられる。ルアーは、キャストされることにより空中を飛行し、やがて着水する。ラインが巻かれることで、ルアーは水中を泳ぐ。このルアーをベイトと勘違いしたフィッシュイーターは、ルアーに食いつく。ルアーに取り付けられたフックがフィッシュイーターに刺さり、フィッシュイーターが釣り上げられる。
【０００３】
近年、ラトルを有するルアーが使用されている。このルアーのボディは、ラトルルームと呼ばれる空洞を有している。ラトルルームの内部には、球状のラトルボールが格納されている。釣り人は、ラインを引いたり緩めたりすることで、ルアーの動きに変化を与える。ルアーの動きの変化により、ラトルボールがラトルルームの中を移動する。このとき、ラトルボールがボディと衝突して音を出す。また、ラトルボール同士が接触して音を出す。これらの音はフィッシュイーターを引き寄せる。ラトルを有するルアーを使用すれば、通常のルアーを使用するよりも、多くのフィッシュイーターを釣ることができる場合がある。ラトルを備えるルアーの例が、特許第４６３６３９８号公報に記載されている。
【先行技術文献】
【特許文献】
【０００４】
【特許文献１】特許第４６３６３９８号公報
【発明の概要】
【発明が解決しようとする課題】
【０００５】
ルアーのうち、イカ釣りに用いられるものは、エギと呼ばれている。キャストされ、着水したエギは、海底に向かって沈降する。この動作は、「フォール」と呼ばれている。釣竿が大きく上方にしゃくられると、ラインに引っ張られてエギは高速で上方へと移動する。この動作は、「ジャンプ」と称されている。ラインが巻かれつつ竿先が左右に連続的に動かされると、エギはジグザグに移動する。この動作は、「ダート」と称されている。イカ釣りにおいては、これらの動作が繰り返される。イカ釣りにおいては、フォールの動作は重要な役割を果たしている。
【０００６】
エギは着水後、ヘッドの近くに取り付けられた重錘の重さにより、ヘッドを下げた姿勢で沈降を始める。ラインは通常エギのヘッドの先端に取り付けられている。このラインにかかる水の抵抗により、エギは沈むに従ってヘッドとテールとがほぼ水平となる姿勢に近くなっていく。これまでのラトルボールを有するエギの構造では、フォールの際にラトルボールがラトルルームの前方に位置したまま、転がらない。これまでのエギは、ジャンプの際には音を出すが、フォールの際にはほとんど音を出さない。多くの場合、イカは着水後のフォール中若しくはフォール後の最初のジャンプの際に釣り上げられる。フォールの際にエギが音を出すことができれば、フォール中にもイカにアピールができる。このエギは、フォール中にもイカを集めることができる。これはイカが釣れる確率を上げる。フォールの際に音を出すエギが求められている。
【０００７】
上記の課題は、エギに限られない。フォールの動作を伴う釣りにおいては、エギ以外のルアーについても同じである。ルアーがラトルを有していても、このラトルはフォール時にはフィッシュイーターにアピールできない。
【０００８】
本発明の目的は、フォール時にもフィッシュイーターにアピールするルアーの提供にある。
【課題を解決するための手段】
【０００９】
本発明に係るルアーは、その内部に空洞であるラトルルームを有するボディと、このラトルルーム内に位置する球状のラトルボールとを備えている。上記ラトルルームはその底面にラトルボールの移動を阻害する一又は複数の移動阻害部を有している。このルアーは、その沈降中の傾きにより、上記ラトルボールが上記移動阻害部により移動できない場合と、この移動阻害部を越えて移動できる場合とを有する。
【００１０】
好ましくは、上記ラトルルームはその底面に突起を備えており、上記移動阻害部の少なくとも一つはこの突起である。
【００１１】
好ましくは、上記ラトルボールの直径Ｄに対する上記突起の高さＨの比（Ｈ／Ｄ）は０．２５以上０．５０以下である。
【００１２】
好ましくは、上記ラトルルーム内に、上記突起は複数存在する。
【００１３】
好ましくは、上記ラトルルームの底面は傾斜角度の異なる複数の部分面より構成されており、上記移動阻害部の少なくとも一つは上記部分面同士の接点部分である。
【発明の効果】
【００１４】
本発明に係るルアーでは、ラトルルームの底面にラトルボールの移動を阻害する移動阻害部を有している。フォールしていくとき、ルアーは徐々にその傾きを変える。これにより、ラトルボールは移動阻害部まで移動する。このとき、ルアーは音を出す。ラトルボールは、移動阻害部により移動できず、その場所に留まる。ルアーは、さらに傾きを変える。これによりラトルボールは移動阻害部を越えて移動をする。このとき、ルアーは再び音を出す。このルアーは、フォールの途中で、時間差をつけて多くの回数音を出すことができる。このルアーはフォール時にもフィッシュイーターにアピールする。特にこれは、夜の釣りにおいてフィッシュイーターに有効にアピールする。
【図面の簡単な説明】
【００１５】
【図１】図１は、本発明の一実施形態に係るエギが示された側面図である。
【図２】図２は、図１のエギのボディが示された断面図である。
【図３】図３は、図２のボディの着水直後の状態が示された断面図である。
【図４】図４は、図２のボディの沈降途中の状態が示された断面図である。
【図５】図５は、図２の突起及びラトルボールが示された拡大断面図である。
【図６】図６は、本発明の他の実施形態に係るエギのボディが示された断面図である。
【図７】図７は、図６のボディの着水直後の状態が示された断面図である。
【図８】図８は、図６のボディの沈降途中の状態が示された断面図である。
【図９】図９は、本発明のさらに他の実施形態に係るエギのボディが示された断面図である。
【図１０】図１０は、図９のボディの着水直後の状態が示された断面図である。
【図１１】図１１は、図９のボディの沈降途中の状態が示された断面図である。
【発明を実施するための形態】
【００１６】
以下、適宜図面が参照されつつ、好ましい実施形態に基づいて本発明が詳細に説明される。
【００１７】
図１は、本発明の一実施形態に係るルアー２が示された側面図である。このルアーはエギ２である。このエギ２は、ボディ４、アイ６、針部８、ヒレ１０、及び重錘１２を備えている。図１において、矢印Ｘがエギ２の前側であり、その反対がエギ２の後側である。矢印Ｙがエギ２の上側であり、その反対がエギ２の下側である。
【００１８】
ボディ４の形状は、エビに類似している。ボディ４は、ヘッド１４及びテール１６を有している。ボディ４は、木又は合成樹脂からなる。ボディ４の表面が、着色されてもよい。ボディ４の表面に、模様が画かれてもよい。着色や模様は、イカに対するアピールに寄与する。ボディ４にクロスが巻かれ、このクロスが着色されてもよい。
【００１９】
アイ６は、ボディ４の前端に位置する。アイ６は、金属線が曲げられて形成されている。金属線の後端は、ボディ４に埋め込まれており、ボディ４に堅固に固定されている。このアイ６には、ラインが結ばれる。金具を介して、ラインがアイ６に連結されてもよい。
【００２０】
針部８は、ボディ４の後端に位置する。針部８は、軸１８、前針２０及び後針２２からなる。軸１８の前端は、ボディ４に埋め込まれており、ボディ４に堅固に固定されている。前針２０は、軸１８の途中から前方に向かって延びている。多数の前針２０が、放射状に配列されている。後針２２は、軸１８の後端から前方に向かって延びている。多数の後針２２が、放射状に配列されている。前針２０及び後針２２は、先細り形状である。イカがエギ２に抱きついたとき、イカの触手が前針２０又は後針２２に引っ掛かる。これにより、イカが釣り上げられる。
【００２１】
ヒレ１０は、鳥の羽根からなる。ヒレ１０は、ボディ４に、接着剤等の手段によって接合されている。水中において、ヒレ１０は揺れ動く。この動きは、イカに対してアピールする。ヒレ１０が合成樹脂からなってもよい。
【００２２】
重錘１２は、ボディ４の下方に位置している。重錘１２は、ボディ４の前方に位置している。重錘１２の一部は、ボディ４に埋設されている。この埋設により、重錘１２がボディ４に堅固に固定されている。重錘１２は、高比重な材料からなる。重錘１２は、典型的には、鉛又は鉛合金からなる。重錘１２が、タングステン又はタングステン合金からなってもよい。重錘１２により、エギ２の水中姿勢及び沈降速度が調節されうる。
【００２３】
図２には、図１に示されたエギ２のボディ４の断面が示されている。このボディ４は、その内部に第一ラトルルーム２４と第二ラトルルーム２６とを備えている。第一ラトルルーム２４及び第二ラトルルーム２６の中には、ラトルボール２８が格納されている。
【００２４】
第一ラトルルーム２４は空洞である。側面視において、第一ラトルルーム２４の底面は折れ曲がっている。これにより底面には第一前部３０と第一後部３２とが形成されている。第一前部３０及び第一後部３２は、第一ラトルルーム２４の底面の部分面である。第一前部３０は前方に向けて上方に傾斜している。第一後部３２は前方に向けて下方に傾斜している。第一前部３０と第一後部３２とがなす角は１８０°より小さい。第一前部３０と第一後部３２との接点部分は、ラトルボール２８の移動を阻害する移動阻害部である。第一前部３０には、突起３４が設けられている。この突起３４は、ラトルボール２８の移動を阻害する移動阻害部である。第一ラトルルーム２４は、複数のラトルボール２８を格納している。
【００２５】
第二ラトルルーム２６は空洞である。第二ラトルルーム２６は第一ラトルルーム２４の後方に位置する。側面視において、第二ラトルルーム２６の底面は折れ曲がっている。これにより底面には第二前部３６と第二後部４０とが形成されている。第二前部３６及び第二後部４０は第二ラトルルーム２６の底面の部分面である。第二前部３６は前方に向けて上方に傾斜している。第二後部４０は前方に向けて下方に傾斜している。第二前部３６と第二後部４０とがなす角は１８０°より小さい。第二前部３６と第二後部４０との接点部分は、ラトルボール２８の移動を阻害する移動阻害部である。第二前部３６には、突起３４が設けられている。この突起３４は、ラトルボール２８の移動を阻害する移動阻害部である。第二ラトルルーム２６は、複数のラトルボール２８を格納している。
【００２６】
第一前部３０の前後方向に対する傾斜角度は、第二前部３６の傾斜角度より大きい。第一前部３０、第一後部３２、第二前部３６及び第二後部４０は、それぞれ異なった傾斜角度を有している。
【００２７】
ラトルボール２８は球状である。ラトルボール２８は第一ラトルルーム２４及び第二ラトルルーム２６の底面上を転がって移動する。このとき、ラトルボール２８がボディ４と衝突して音を出す。この音は、イカに対するアピールに寄与する。また、ラトルボール２８が移動する際に、ラトルボール２８同士が接触して音を出す。この音は、イカに対するアピールに寄与する。
【００２８】
以下では、このエギ２のラトルボール２８の動きが説明される。
【００２９】
このエギ２では、重錘１２はボディ４の前方に位置している。このため、キャストされ着水した直後のエギ２は、図３に示すとおり、ヘッド１４がテール１６に対して下に位置する姿勢となる。このとき第一ラトルルーム２４のラトルボール２８は、第一ラトルルーム２４の前端に位置している。第二ラトルルーム２６のラトルボール２８は、第二ラトルルーム２６の前端に位置している。
【００３０】
エギ２は沈降を始める。このエギ２では、ラインはヘッド１４の前端に位置するアイ６に結ばれている。このラインは、エギ２が沈降する際に水の抵抗を受ける。このため、沈降するにつれて、ヘッド１４の位置がテール１６に対して上がるようにエギ２は徐々に姿勢を変える。これにより、第一前部３０が後方に向けて下方に傾斜した状態となる。第一ラトルルーム２４のラトルボール２８が、第一前部３０の上を転がって後方に移動する。このラトルボール２８は、第一前部３０の突起３４に当接する。この時のエギ２の傾きでは、ラトルボール２８はこの突起３４を乗り越えて移動できない。ラトルボール２８は、第一前部３０の突起３４に当接して止まる。この移動で、ラトルボール２８が音を出す。
【００３１】
さらにエギ２のヘッド１４の位置がテール１６に対して上がると、第二前部３６が後方に向けて下方に傾斜する。第二ラトルルーム２６のラトルボール２８が、第二前部３６の上を転がって後方に移動する。このラトルボール２８は、第二前部３６の突起３４に当接する。この時のエギ２の傾きでは、ラトルボール２８がこの突起３４を乗り越えて移動できない。ラトルボール２８は、第二前部３６の突起３４に当接して止まる。この状態が図４に示されている。この移動で、ラトルボール２８が音を出す。
【００３２】
さらにエギ２のヘッド１４が上がる。これにより、第一ラトルルーム２４のラトルボール２８は、第一前部３０の突起３４を乗り越える。このラトルボール２８は、第一後部３２の前端まで転がって移動する。このラトルボール２８は、第一前部３０と第一後部３２との接点部分で止まる。この移動で、ラトルボール２８が音を出す。
【００３３】
さらにエギ２のヘッド１４が上がる。これにより、第二ラトルルーム２６のラトルボール２８が、第二前部３６の突起３４を乗り越える。このラトルボール２８は、第二後部４０の前端まで転がって移動する。このラトルボール２８は、第二前部３６と第二後部４０との接点部分で止まる。ヘッド１４は、テール１６とほぼ平行となる位置まで上がる。この状態が図２に示されている。この移動で、ラトルボール２８が音を出す。
【００３４】
上述のとおり、このエギ２は、フォールの間、複数音を出している。このエギ２は、フォールの途中で、時間差をつけて多くの回数音を出すことができる。
【００３５】
上述の動作は、フォールの際にヘッド１４の位置はテール１６に際して徐々に上がるとして説明された。実際には、波や風の影響によるラインのテンションの変化により、フォールの途中でヘッド１４の位置はテール１６に対して上下することがある。エギ２は、ヘッド１４の位置を上下させながら、図３に示されるヘッド１４がテール１６に対して下に位置する状態から、図２に示されるヘッド１４とテール１６とがほぼ平行となった状態へと姿勢を変化させる。このヘッド１４の上下により、ラトルボール２８は前後に移動する。このときのエギ２の傾きにより、ラトルボール２８は突起３４まで移動して停止し、あるいは、突起３４で停止していたラトルボール２８は突起３４を乗り越えて移動する。波や風の影響を受けることで、このエギ２はフォールの途中で、時間差をつけてさらに多くの回数音を出す。このエギ２は、フォール時にイカに対して大きくアピールできる。
【００３６】
フォールの際に、釣り人がラインのテンションを変化させることがある。このラインのテンションの変化によっても、ヘッド１４の位置はテール１６に対して上下する。このときも、エギ２の傾きにより、ラトルボール２８は突起３４まで移動して停止し、あるいは、突起３４で停止していたラトルボール２８は突起３４を乗り越えて移動する。釣り人がラインのテンションに変化をつけることで、このエギ２は時間差をつけて多くの回数音を出す。
【００３７】
ジャンプのときは、エギ２は、ヘッド１４の位置がテール１６より上になるように急速に姿勢を変える。その後図３に示されるヘッド１４がテール１６に対して下に位置する姿勢となる。この間にもラトルボール２８は、突起３４への移動及び突起３４の乗り越えの動作を繰り返す。フォールの時と同様に、ジャンプのときも、このエギ２は多くの回数音を出すことができる。このエギ２は、イカに対して大きくアピールできる。
【００３８】
図５は、突起３４及びラトルボール２８が示された拡大図である。両矢印Ｈは、突起３４が設けられている面と垂直な方向において計測した突起３４の高さである。両矢印Ｄは、ラトルボール２８の直径である。直径Ｄに対する高さＨの比（Ｈ／Ｄ）は０．２５以上０．５０以下が好ましい。比（Ｈ／Ｄ）を０．２５以上０．５０以下にすることで、この突起３４は適切なエギ２の傾きの範囲で、ラトルボール２８の移動を止めることができる。
【００３９】
図６は、本発明の他の実施形態に係るルアー４２のボディ４４が示された側面図である。このルアー４２はエギ４２である。図示されないが、このエギ４２は、ボディ４４の他に、アイ、針部、ヒレ、及び重錘を備えている。アイ、針部、ヒレ、及び重錘は、図１のエギ２のこれらと同じ構造である。図６において、矢印Ｘがエギ４２の前側であり、その反対がエギ４２の後側である。矢印Ｙがエギ４２の上側であり、その反対がエギ４２の下側である。
【００４０】
ボディ４４の形状は、エビに類似している。ボディ４４は、ヘッド４６及びテール４８を有している。ボディ４４は、木又は合成樹脂からなる。ボディ４４の表面が、着色されてもよい。ボディ４４の表面に、模様が画かれてもよい。着色や模様は、イカに対するアピールに寄与する。ボディ４４にクロスが巻かれ、このクロスが着色されてもよい。
【００４１】
このボディ４４は、その内部にラトルルーム５０を備えている。ラトルルーム５０の中には、ラトルボール５２が格納されている。
【００４２】
ラトルルーム５０は空洞である。側面視において、ラトルルーム５０の底面は折れ曲がっている。これにより底面には前部５４と後部５６とが形成されている。前部５４及び後部５６は、ラトルルーム５０の底面の部分面である。前部５４は前方に向けて上方に傾斜している。後部５６は前方に向けて下方に傾斜している。前部５４には、第一突起５８が設けられている。後部５６には第二突起６０が設けられている。第二突起６０は、前部５４と後部５６の接点近辺に位置している。第一突起５８及び第二突起６０は、ラトルボール５２の移動を阻害する移動阻害部である。
【００４３】
ラトルボール５２は球状である。ラトルボール５２はラトルルーム５０の底面上を転がって移動する。このとき、ラトルボール５２がボディ４４と衝突して音を出す。この音は、イカに対するアピールに寄与する。また、ラトルボール５２が移動する際に、ラトルボール５２同士が接触して音を出す。この音は、イカに対するアピールに寄与する。
【００４４】
以下では、このエギ４２のラトルボール５２の動きが説明される。
【００４５】
このエギ４２では、重錘はボディの前方に位置している。このため、キャストされ着水した直後のエギ４２は、図７に示すとおり、ヘッド４６がテール４８に対して下に位置する姿勢となる。このときラトルルーム５０のラトルボール５２は、ラトルルーム５０の前端に位置している。
【００４６】
エギ４２は沈降を始める。このエギ４２では、ラインはヘッド４６の前端に位置するアイに結ばれている。このラインは、エギ４２が沈降する際に水の抵抗を受ける。このため、沈降するにつれて、ヘッド４６の位置はテール４８に対して上がるようにエギ４２は徐々に姿勢を変える。これにより、前部５４は後方に向けて下方に傾斜した状態となる。ラトルルーム５０のラトルボール５２が、前部５４の上を転がって後方に移動する。このラトルボール５２は、前部５４の第一突起５８に当接する。この時のエギ４２の傾きでは、ラトルボール５２はこの第一突起５８を乗り越えて移動できない。ラトルボール５２は、前部５４の第一突起５８に当接して止まる。この移動で、ラトルボール５２が音を出す。この状態が図８に示されている。この移動で、ラトルボール５２が音を出す。
【００４７】
さらにエギ４２のヘッド４６が上がる。これにより、ラトルボール５２は、第一突起５８を乗り越える。このラトルボール５２は、第二突起６０に当接する。この時のエギ４２の傾きでは、ラトルボール５２がこの第二突起６０を乗り越えて移動できない。ラトルボール５２は、前部５４の第二突起６０に当接して止まる。この移動で、ラトルボール５２が音を出す。この状態が図６に示されている。
【００４８】
上述のとおり、このエギ４２は、フォールの間、複数回音を出している。このエギ４２は、フォールの途中で時間差をつけて多くの回数音を出すことができる。このエギ４２は、フォール時にもイカに対して大きくアピールできる。
【００４９】
上述の動作は、フォールの際にヘッド４６の位置はテール４８に際して徐々に上がるとして説明された。実際には、波や風の影響によるラインのテンションの変化により、フォールの途中でヘッド４６の位置はテール４８に対して上下することがある。エギ４２は、ヘッド４６の位置を上下させながら、図７に示されるヘッド４６がテール４８に対して下に位置する状態から、図６に示されるヘッド４６とテール４８とがほぼ平行となった状態へと姿勢を変化させる。このヘッド４６の上下により、ラトルボール５２は前後に移動する。このときのエギ４２の傾きにより、ラトルボール５２は第一突起５８又は第二突起６０まで移動して停止し、あるいは、第一突起５８又は第二突起６０で停止していたラトルボール５２はこれらの突起を乗り越えて移動する。波や風の影響を受けることで、このエギ４２はフォールの途中で、時間差をつけてさらに多くの回数音を出す。このエギ４２は、フォール時にイカに対して大きくアピールできる。
【００５０】
フォールの際に、釣り人がラインのテンションを変化させることがある。このラインのテンションの変化によっても、ヘッド４６の位置はテール４８に対して上下する。このときも、エギ４２の傾きにより、ラトルボール５２は第一突起５８又は第二突起６０まで移動して停止し、あるいは、第一突起５８又は第二突起６０で停止していたラトルボール５２はこれらの突起を乗り越えて移動する。釣り人がラインのテンションに変化をつけることで、このエギ４２は時間差をつけてさらに多くの回数音を出す。
【００５１】
ジャンプのときは、エギ４２は、ヘッド４６の位置がテール４８より上になるように急速に姿勢を変える。ラトルボール５２は、後部５６の後端にまで移動する。その後図７に示されるヘッド４６がテール４８に対して下に位置する姿勢となる。この間にもラトルボール５２は、第一突起５８又は第二突起６０への移動及びこれらの突起の乗り越えの動作を繰り返す。フォールの時と同様に、ジャンプのときも、このエギ４２は多くの回数音を出すことができる。このエギ４２は、イカに対して大きくアピールできる。
【００５２】
図９は、本発明のさらに他の実施形態に係るルアー７２のボディ７４が示された側面図である。このルアー７２はエギ７２である。図示されないが、このエギ７２は、ボディ７４の他に、アイ、針部、ヒレ、及び重錘を備えている。アイ、針部、ヒレ、及び重錘は、図１のエギ２のこれらと同じ構造である。図９において、矢印Ｘがエギ７２の前側であり、その反対がエギ７２の後側である。矢印Ｙがエギ７２の上側であり、その反対がエギ７２の下側である。
【００５３】
ボディ７４の形状は、エビに類似している。ボディ７４は、ヘッド７６及びテール７８を有している。ボディ７４は、木又は合成樹脂からなる。ボディ７４の表面が、着色されてもよい。ボディ７４の表面に、模様が画かれてもよい。着色や模様は、イカに対するアピールに寄与する。ボディ７４にクロスが巻かれ、このクロスが着色されてもよい。
【００５４】
ボディ７４は、その内部に第一ラトルルーム８０と第二ラトルルーム８２とを備えている。第一ラトルルーム８０及び第二ラトルルーム８２の中には、ラトルボール８４が格納されている。
【００５５】
第一ラトルルーム８０は空洞である。側面視において、第一ラトルルーム８０の底面は折れ曲がっている。これにより底面には第一前部８６と第一中部８８と第一後部９０とが形成されている。第一前部８６、第一中部８８及び第一後部９０は、第一ラトルルーム８０の底面の部分面である。第一前部８６は前方に向けて上方に傾斜している。第一中部８８は前方に向けて上方に傾斜している。第一中部８８の傾斜角度は第一前部８６の傾斜角度より小さい。第一前部８６と第一中部８８とがなす角は１８０°より小さい。第一前部８６と第一中部８８との接点部分は、ラトルボール８４の移動を阻害する移動阻害部である。第一後部９０は前方に向けて下方に傾斜している。第一中部８８と第一後部９０とがなす角は１８０°より小さい。第一中部８８と第一後部９０との接点部分は、ラトルボール８４の移動を阻害する移動阻害部である。第一ラトルルーム８０は、複数のラトルボール８４を格納している。
【００５６】
第二ラトルルーム８２は空洞である。側面視において、第二ラトルルーム８２の底面は折れ曲がっている。これにより底面には第二前部９２と第二中部９４と第二後部９６とが形成されている。第二前部９２、第二中部９４及び第二後部９６は、第二ラトルルーム８２の底面の部分面である。第二前部９２は前方に向けて上方に傾斜している。第二中部９４は前方に向けて上方に傾斜している。第二中部９４の傾斜角度は第二前部９２の傾斜角度より小さい。第二前部９２と第二中部９４とがなす角は１８０°より小さい。第二前部９２と第二中部９４との接点部分は、ラトルボール８４の移動を阻害する移動阻害部である。第二後部９６は前方に向けて下方に傾斜している。第二中部９４と第二後部９６とがなす角は１８０°より小さい。第二中部９４と第二後部９６との接点部分は、ラトルボール８４の移動を阻害する移動阻害部である。第二ラトルルーム８２は、複数のラトルボール８４を格納している。
【００５７】
第一前部８６の前後方向に対する傾斜角度は、第二前部９２の傾斜角度より大きい。第一中部８８の前後方向に対する傾斜角度は、第二中部９４の傾斜角度より大きい。第一前部８６、第一中部８８、第一後部９０、第二前部９２、第二中部９４及び第二後部９６は、それぞれ異なった傾斜角度を有している。
【００５８】
ラトルボール８４は球状である。ラトルボール８４は第一ラトルルーム８０及び第二ラトルルーム８２の底面上を転がって移動する。このとき、ラトルボール８４がボディ７４と衝突して音を出す。この音は、イカに対するアピールに寄与する。また、ラトルボール８４が移動する際に、ラトルボール８４同士が接触して音を出す。この音は、イカに対するアピールに寄与する。
【００５９】
以下では、このエギ７２のラトルボール８４の動きが説明される。
【００６０】
このエギ７２では、重錘はボディ７４の前方に位置している。このため、キャストされ着水した直後のエギ７２は、図１０に示すとおり、ヘッド７６がテール７８に対して下に位置する姿勢となる。このとき第一ラトルルーム８０のラトルボール８４は、第一ラトルルーム８０の前端に位置している。第二ラトルルーム８２のラトルボール８４は、第二ラトルルーム８２の前端に位置している。
【００６１】
エギ７２は沈降を始める。このエギ７２では、ラインはヘッド７６の前端に位置するアイに結ばれている。このラインは、エギ７２が沈降する際に水の抵抗を受ける。このため、沈降するにつれて、ヘッド７６の位置がテール７８に対して上がるようにエギ７２は徐々に姿勢を変える。これにより、第一前部８６が後方に向けて下方に傾斜した状態となる。第一ラトルルーム８０のラトルボール８４が、第一前部８６の上を転がって後方に移動する。このとき、第一中部８８は前方に向けて下方に傾斜した状態のままである。このラトルボール８４は、第一前部８６と第一中部８８との接点部分を越えて移動できない。このラトルボール８４は、この接点部分で止まる。この移動で、ラトルボール８４が音を出す。
【００６２】
さらにエギ７２のヘッド７６の位置がテール７８に対して上がると、第二前部９２が後方に向けて下方に傾斜する。第二ラトルルーム８２のラトルボール８４が、第二前部９２の上を転がって後方に移動する。このとき、第二中部９４は前方に向けて下方に傾斜した状態のままである。このラトルボール８４は、第二前部９２と第二中部９４との接点部分を越えて移動できない。このラトルボール８４は、この接点部分で止まる。この状態が図１１に示されている。この移動で、ラトルボール８４が音を出す。
【００６３】
さらにエギ７２のヘッド７６が上がる。これにより、第一中部８８が後方に向けて下方に傾斜した状態となる。第一ラトルルーム８０のラトルボール８４は、第一中部８８上を転がって後方に移動する。ラトルボール８４は、第一前部８６と第一中部８８との接点部分を越えて移動する。このとき、第一後部９０は前方に向けて下方に傾斜した状態のままである。このラトルボール８４は、第一中部８８と第一後部９０との接点部分を越えて移動できない。このラトルボール８４は、この接点部分で止まる。この移動で、ラトルボール８４が音を出す。
【００６４】
さらにエギ７２のヘッド７６が上がる。これにより、第二中部９４が後方に向けて下方に傾斜した状態となる。第二ラトルルーム８２のラトルボール８４は、第二中部９４上を転がって後方に移動する。ラトルボール８４は、第二前部９２と第二中部９４との接点部分を越えて移動する。このとき、第二後部９６は前方に向けて下方に傾斜した状態のままである。このラトルボール８４は、第二中部９４と第二後部９６との接点部分を越えて移動できない。このラトルボール８４は、この接点部分で止まる。この状態が図９に示されている。この移動で、ラトルボール８４が音を出す。
【００６５】
上述のとおり、このエギ７２は、フォールの間、複数音を出している。このエギ７２は、フォールの途中で、時間差をつけて多くの回数音を出すことができる。
【００６６】
上述の動作は、フォールの際にヘッド７６の位置はテール７８に際して徐々に上がるとして説明された。実際には、波や風の影響によるラインのテンションの変化により、フォールの途中でヘッド７６の位置はテール７８に対して上下することがある。エギ７２は、ヘッド７６の位置を上下させながら、図１０に示されるヘッド７６がテール７８に対して下に位置する状態から、図９に示されるヘッド７６とテール７８とがほぼ平行となった状態へと姿勢を変化させる。このヘッド７６の上下により、ラトルボール８４は前後に移動する。このときのエギ７２の傾きにより、ラトルボール８４は部分面の接点部分まで移動して停止し、あるいは、部分面の接点部分で停止していたラトルボール８４はこの接点部分を越えて移動する。波や風の影響を受けることで、このエギ７２はフォールの途中で、時間差をつけてさらに多くの回数音を出す。このエギ７２は、フォール時にイカに対して大きくアピールできる。
【００６７】
フォールの際に、釣り人がラインのテンションを変化させることがある。このラインのテンションの変化によっても、ヘッド７６の位置はテール７８に対して上下する。このときも、エギ７２の傾きにより、ラトルボール８４は部分面の接点部分まで移動して停止し、あるいは、部分面の接点部分で停止していたラトルボール８４はこの接点部分を越えて移動する。釣り人がラインのテンションに変化をつけることで、このエギ７２は時間差をつけて多くの回数音を出す。
【００６８】
ジャンプのときは、エギ７２は、ヘッド７６の位置がテール７８より上になるように急速に姿勢を変える。その後図９に示されるヘッド７６がテール７８に対して下に位置する姿勢となる。この間にもラトルボール８４は、部分面の接点部分への移動及び部分面の接点部分からの移動を繰り返す。フォールの時と同様に、ジャンプのときも、このエギ７２は多くの回数音を出すことができる。このエギ７２は、イカに対して大きくアピールできる。
【００６９】
以上の実施形態では、ラトルルームが一つの場合と二つの場合が説明された。ラトルルームの数は一つ又は二つに限られない。エギが三つ以上のラトルルームを備えていてもよい。また、図２と図６の実施形態では、ラトルルーム内に備えられた突起は、一つの場合と二つの場合が説明された。突起の数は一つ又は二つに限られない。ラトルルームが三つ以上の突起を備えていてもよい。図９の実施形態では、ラトルルームの底辺の部分面の数は三つであった。部分面の数は三つに限られない。ラトルルームの数、突起の数及び部分面の数を増やすことで、より複雑な時間差で多くの音を出すことができる。ラトルルームの数、突起の数及び部分面の数は、エギの大きさや種類によって適宜決められる。
【００７０】
図２及び図９に示された実施形態では、二つのラトルルームが前後方向に配置されていた。複数のラトルルームが左右方向に配置されていてもよい。このとき、ラトルルーム毎に突起の位置及び部分面の傾斜角度を変えることで、より複雑な時間差で音を出すことができる。ラトルルームの配置の方向や数は、エギの大きさや種類によって適宜決められる。
【００７１】
以上の実施形態では、エギを対象にして本発明が説明された。本発明は、エギに限られない。その他のラトルを有するルアーにも適用できる。
【産業上の利用可能性】
【００７２】
本発明に係るルアーは、湖沼、池、ダム、川、海等の種々のフィールドでの釣りに適している。
【符号の説明】
【００７３】
２、４２、７２・・・エギ（ルアー）
４、４４、７４・・・ボディ
６・・・アイ
８・・・針部
１０・・・ヒレ
１２・・・重錘
１４、４６、７６・・・ヘッド
１６、４８、７８・・・テール
１８・・・軸
２０・・・前針
２２・・・後針
２４、８０・・・第一ラトルルーム
２６、８２・・・第二ラトルルーム
２８、５２、８４・・・ラトルボール
３０、８６・・・第一前部
３２、９０・・・第一後部
３４・・・突起
３６、９２・・・第二前部
４０、９６・・・第二後部
５０・・・ラトルルーム
５４・・・前部
５６・・・後部
５８・・・第一突起
６０・・・第二突起
８８・・・第一中部
９４・・・第二中部
【図１】
2015208243.tif 000003
【図２】
2015208243.tif 000004
【図３】
2015208243.tif 000005
【図４】
2015208243.tif 000006
【図５】
2015208243.tif 000007
【図６】
2015208243.tif 000008
【図７】
2015208243.tif 000009
【図８】
2015208243.tif 000010
【図９】
2015208243.tif 000011
【図１０】
2015208243.tif 000012
【図１１】
2015208243.tif 000013